(57)【特許請求の範囲】
【請求項１】
什器の上面の一部に開口した開口部と、
前記什器の端部に設けられ、前記開口部を塞ぐカバーと、
前記カバーを、前記開口部を閉塞する閉状態と上方に起立して前記開口部を開放する開状態との間で開閉動作させるカバー開閉機構と、を備え、
前記カバー開閉機構は、前記カバーを、当該カバーの前端側または後端側を中心として回動させつつ、当該カバーを前後方向にスライドさせるとともに、
前記カバーを開閉動作させたときに、前記什器の外周側に位置する前記カバーの角部が、前記什器の端部を含む鉛直面に沿って移動するように前記カバーを回動動作させることを特徴とする什器。
【請求項２】
前記カバーは、前記什器の端部に設けられ、
前記カバー開閉機構は、前記カバーを開閉動作させたときに、前記カバーの全体が、常に前記什器の前記端部とほぼ面一または前記端部よりも内側に位置するように前記カバーを回動動作させることを特徴とする請求項１に記載の什器。
【請求項３】
前記カバー開閉機構は、前記カバー側または前記什器側に設けられたガイド溝と、前記什器側または前記カバー側に設けられ、前記ガイド溝内で相対移動可能に設けられたピンと、から構成されることを特徴とする請求項１または２に記載の什器。
【請求項４】
前記ガイド溝は、前記カバーを開閉動作させたときに、前記カバーにおいて上側であってかつ前記什器の外周側に臨む第一の角部と、前記ガイド溝内を相対移動する前記ピンとの水平方向の間隔が、常に一定になるよう形成されていることを特徴とする請求項３に記載の什器。
【請求項５】
前記ガイド溝は、その一部に外部に開放した開放部が形成され、前記ピンが前記開放部を介して前記ガイド溝に出し入れされることで、前記カバーが前記什器に対して着脱可能とされていることを特徴とする請求項３または４に記載の什器。
【請求項６】
前記什器に固定されたベース部材をさらに備え、
前記ベース部材は、前記カバーにおいて下側であって前記什器の外周側に臨む第二の角部が突き当たりながら前記カバーが開閉動作する突き当たり面を有することを特徴とする請求項１から５のいずれかに記載の什器。
【請求項７】
前記突き当たり面は、前記什器の外周側に位置する第一の平面と、
前記第一の平面よりも前記什器の内側に設けられ、該第一の平面よりも高く形成された第二の平面と、
前記第一の平面と前記第二の平面との間に形成された傾斜面と、を備えることを特徴とする請求項６に記載の什器。
【請求項８】
前記カバーを開閉動作させたときに、前記第二の角部が前記傾斜面に突き当たることで前記カバーの閉状態からの開き角が増大することを特徴とする請求項７に記載の什器。
【発明の詳細な説明】
【技術分野】
【０００１】
本発明は、デスク装置等の什器に関する。
【背景技術】
【０００２】
オフィス等で使用されるデスク装置の構造としては、床面上に離間して立設された一対の支持体（支持脚、袖箱）と、これら支持体上に架設された天板と、天板の下方位置において左右の支持体間の空間を閉塞する幕板と、を備えて構成したものが一般的である。この構造によれば、簡潔な構造でありながら、デスク装置を強固に構成することができる。
【０００３】
デスク装置における使用者の使い勝手としては、天板上に電子機器や照明装置を設置する場合が多くなっている。こうした際に、前述の機器・装置からの配線をデスク装置内部に収納可能であれば、その体裁を良好なものとすることが出来ると共に、デスク周辺が配線で煩雑になることもなく使い勝手を良好とすることが出来る。
この点を考慮し、天板の後部に配線引き込み口を形成すると共に、デスク装置内部に配線処理部材を設けることによって、デスク装置内に配線を収容可能としたものも多い。
【０００４】
配線処理部材としては、天板後方上面に、デスク装置の幅方向に連続する凹溝を形成し、その上面に配線引き込み用の挿通孔を設けた配線カバー材で閉塞することによって形成するものがある。
【０００５】
これらの配線カバー材の構造としては、板金、アルミ・樹脂の押し出し材を用いて所望の形状に形成する方法が多く採用されている（例えば、特許文献１〜３参照。）。
【０００６】
また、配線カバー材を開閉可能に設けることによって、配線の通線作業を行う際の作業性を良好とする方法も提案されている（例えば、特許文献４〜６参照。）。
【先行技術文献】
【特許文献】
【０００７】
【特許文献１】特開平１１−２６６９３５号公報
【特許文献２】特開２００１−１０４０６０号公報
【特許文献３】特開２００３−１３５１５８号公報
【特許文献４】特開２００４−２９８６５７号公報
【特許文献５】特開２００８−１１９２６２号公報
【特許文献６】特開２００８−１１９１１５号公報
【発明の概要】
【発明が解決しようとする課題】
【０００８】
しかしながら、こうした回動式の配線カバーを備えた構造においては、配線カバーが回転するときに、配線カバーの角部が、配線カバーの回転軸を中心として旋回する。このため、配線カバーの角部は、配線カバーが閉状態にあるときよりも外周側に張り出した軌跡で旋回する。したがって、配線カバーの周囲に位置する什器の開口部との間に、クリアランスを設けなければならない。
このクリアランスにより、デスク装置上面の作業面の有効面積が狭められたり、作業面に段差が生じることになり、デスク装置の使い勝手が悪くなってしまうという問題がある。
また、配線カバーを開いた状態では、前記のクリアランスの分、開口面積が小さくなってしまい、配線の通線作業をやりにくくなるという問題もある。
さらに、デスク装置を他のデスク装置やパーティション等に突き当てて設置する場合、配線カバーを開閉させるためのスペースを確保するために、デスク装置と他のデスク装置やパーティションとの間に隙間を空けなければならないという問題もある。
【０００９】
近年、デスク装置に限らず、収納キャビネット等の各種の什器においても、配線を引き込む構成を備えたものが増えており、上記問題はこれらの什器にも共通して適用することができる。
【００１０】
本発明は、このような技術的課題に基づいてなされたもので、配線カバーの周囲のクリアランスを小さくするとともに、什器上面の有効面積や開口面積を大きくして、配線の通線作業を容易に行うことのできる什器を提供することを目的とする。
【課題を解決するための手段】
【００１１】
本発明は、上記課題を解決するため、以下の手段を採用する。
すなわち、本発明の什器は、什器の上面の一部に開口した開口部と、前記什器の端部に設けられ、開口部を塞ぐカバーと、カバーを、開口部を閉塞する閉状態と上方に起立して開口部を開放する開状態との間で開閉動作させるカバー開閉機構と、を備え、カバー開閉機構は、カバーを、当該カバーの前端側または後端側を中心として回動させつつ、当該カバーを前後方向にスライドさせるとともに、カバーを開閉動作させたときに、什器の外周側に位置するカバーの角部が、什器の端部を含む鉛直面に沿って移動するようにカバーを回動動作させることを特徴とする。
このカバーは、什器の端部に設けられ、カバー開閉機構は、カバーを開閉動作させたときに、カバーの全体が、常に什器の端部とほぼ面一または端部よりも内側に位置するようにカバーを回動動作させるのが好ましい。これにより、カバーの一部を什器の端部から外側に突出させることなくカバーを開閉させる。
【００１２】
このようなカバー開閉機構は、カバー側または什器側に設けられたガイド溝と、什器側またはカバー側に設けられ、ガイド溝内を相対移動するピンと、から構成することができる。
さらに、ガイド溝は、カバーを開閉動作させたときに、カバーにおいて上側であってかつ什器の外周側に臨む第一の角部と、ガイド溝内を相対移動するピンとの水平方向の間隔が、常に一定になるよう形成するのが好ましい。
【００１３】
また、什器に固定されたベース部材をさらに備える場合、ベース部材は、カバーにおいて下側であって什器の外周側に臨む第二の角部が突き当たりながらカバーが開閉動作する突き当たり面を有する構成とすることもできる。
この突き当たり面は、いかなる形状としても良いが、什器の外周側に位置する第一の平面と、第一の平面よりも什器の内側に設けられ、第一の平面よりも高く形成された第二の平面と、第一の平面と第二の平面との間に形成された傾斜面と、を備えることができる。
そして、カバーを開閉動作させたときに、第二の角部が傾斜面に突き当たることでカバーの閉状態からの開き角が増大する。これにより、カバーが開く方向に重心が移動するので、カバーが不用意に閉じるのを防止できる。
【発明の効果】
【００１４】
本発明によれば、カバーの一部を什器の端部から外側に突出させることなくカバーを開閉することが可能となる。したがって、什器を、他の什器やパーティション等に突き当てて設置した場合においても、カバーの回転に支障が出ることはない。その結果、什器を、他の什器やパーティション等に押しつけて設置することが可能となる。
【００１５】
また、カバーが開状態にあるときには、カバーを什器の端部ぎりぎりに位置させることができるため、開口部を最大限に広く確保することができる。したがって、この開口部に配線を通す際の作業性が向上する。
また、カバーの各部が回転動作中に外周側に張り出すことがないため、カバーと開口部とのクリアランスを最小限に抑えることができる。これにより、什器の上面の作業面の有効面積が狭められること、什器の上面に段差等が生じることを抑えることができ、その結果、什器の使い勝手が向上する。
また、このような構造は、ピンとガイド溝を用いることで、複雑なリンク機構などを用いることもなく、非常に簡易な構造で実現することができ、製造の手間を抑えるとともに、コストを抑えることが可能となる。
【００１６】
什器に固定されたベース部材に、カバーにおいて下側であって什器の外周側に臨む第二の角部をベース部材の突き当たり面に突き当てながらカバーを開閉動作させると、カバーの開閉動作を安定させることができる。
突き当たり面に傾斜面を設けておけば、カバーを開閉動作させたときに、第二の角部が傾斜面に突き当たることでカバーの閉状態からの開き角が増大し、カバーが不用意に閉じるのを防止できる。
またカバーの開き角がさらに大きい状態では、第二の角部が第二の平面に突き当たることで、カバーを開放状態に容易に維持できる。
【図面の簡単な説明】
【００１７】
【図１】本実施形態におけるデスク装置を斜め前方から見た斜視図である。
【図２】本実施形態におけるデスク装置を斜め後方から見た斜視図である。
【図３】デスク装置に備えた配線収容部の構成を示す側断面図である。
【図４】配線収容部の要部を拡大した側断面図である。
【図５】デスク装置において、天板を装着していない状態を示す斜視図である。
【図６】回転カバー受け部材と回転カバーのホルダーを示す側面図である。
【図７】回転カバー受け部材を示す図であって、（ａ）は前方から見た側面図、（ｂ）は側方から見た側面図である。
【図８】回転カバー受け部材と回転カバーのホルダーを示す斜視図である。
【図９】回転カバー本体と回転カバー、上部フレキシブルカバーを示す側断面図である。
【図１０】回転カバー本体と回転カバー、上部フレキシブルカバーを示す斜視図である。
【図１１】回転カバー本体の裏側を示す図である。
【図１２】回転カバーを開いた状態を示す斜視図である。
【図１３】回転カバーの回転動作を示す側面図である。
【図１４】回転カバーを開閉している途中の状態を示す側断面図である。
【図１５】回転カバーを開いた状態を示す側断面図である。
【図１６】回転カバーを取り外す状態を示す側断面図である。
【発明を実施するための形態】
【００１８】
以下、添付図面を参照して、本発明を実施するための最良の形態を説明する。しかし、本発明はこれらの実施例のみに限定されるものではない。
【００１９】
図１、図２は、本実施形態におけるデスク装置（什器）１０の斜視図である。なお、以下の説明において、上方、下方、前方、後方といった方向は、デスク装置１０を床面上に設置して使用するときの状態に対応した方向としている。すなわち、デスク装置１０が設置される床面側を「下方」、その反対方向を「上方」、このデスク装置１０を使用するユーザがデスク装置１０に対向する側を「前方」、その反対側を「後方」または「背面側」と称する。
【００２０】
図１、図２に示すように、デスク装置１０は、デスク装置１０が設置される床面上に立ち上がる一対の支持体１１、１１と、これら支持体１１、１１によって、床面の上方の所定高さに支持された天板１２と、天板１２の下方位置において、両側の支持体１１、１１の間の空間を閉塞する幕板１３と、を備える。
【００２１】
ここで、支持体１１としては、様々な形状の支持脚や、引き出しを備えた袖箱等を採用できる。また、支持体１１は、二つに限られず、三つ以上備えていても良い。
【００２２】
また、幕板１３は、天板１２の前後方向の中心よりも後方側に配置され、一般的には、天板１２の後端部１２ａ近傍の下方に配置される。この幕板１３は、床面近傍まで支持体１１、１１の間の空間全体を覆うように設けても良いし、支持体１１、１１の間に掛け渡されたバー（棒）状のものとすることもできる。図３に示すように、本実施形態のデスク装置１０において、幕板１３は、その上端部１３ａが、天板１２の下面１２ｂよりも、あらかじめ定められた所定寸法だけ下方に位置するよう設けられている。また、天板１２は、その後端部１２ａが、幕板１３よりも前方側にオフセットして位置するよう形成されている。
【００２３】
このようにして、デスク装置１０においては、幕板１３の上端部１３ａの上方であって、かつ、天板１２の後端部１２ａの後方位置に、空間Ｓが形成されている。この空間Ｓに、配線１００を収容する配線収容部２０が設けられている。
【００２４】
配線収容部２０は、背面カバー部材３０と、配線トレー４０と、回転カバー受け部材（ベース部材）５０と、回転カバー（カバー）６０と、から構成されている。
【００２５】
図２に示すように、背面カバー部材３０は、幕板１３の上端部１３ａに沿って、デスク装置１０の幅方向に連続して設けられている。そして、図４に示すように、この背面カバー部材３０は、幕板１３の上端部１３ａに取り付けられている。背面カバー部材３０が取り付けられる幕板１３の上端部１３ａは、支持体１１、１１間において鉛直面内に位置する幕板本体１３ｂの上端から折曲してデスク装置１０の前方に受け延びる上部受け面１３ｃと、上部受け面１３ｃの前端側において折曲して下方に延びる垂直面１３ｄと、垂直面１３ｄの下端から後方に向けて延びる爪部１３ｅとが一体に形成されている。
【００２６】
背面カバー部材３０は、上部受け面１３ｃおよび垂直面１３ｄに沿う断面略Ｌ字状のベース部３１と、ベース部３１の下端から爪部１３ｅに沿って延びる係止部３２と、ベース部３１から上方に向けて延びる背面フレキシブルカバー部３３と、を有する。
【００２７】
係止部３２の先端部には、上部受け面１３ｃ側に突出する係止突起３４が形成されている。この係止突起３４は、爪部１３ｅの先端部に係合する。背面カバー部材３０は、ベース部３１および係止部３２が、上部受け面１３ｃおよび垂直面１３ｄ、爪部１３ｅに沿い、係止突起３４が爪部１３ｅに係合することで、幕板１３の上端部１３ａに対して固定されている。このようなベース部３１および係止部３２は、例えばＡＢＳ（Ａｃｒｙｌｏｎｉｔｒｉｌｅ  ｂｕｔａｄｉｅｎｅ  ｓｔｙｒｅｎｅ）等の硬質樹脂等により形成することができ、ベース部３１および係止部３２が弾性変形することで、幕板１３の上端部１３ａに対して着脱可能とされている。
【００２８】
係止部３２の下面には、下方に延びる垂下部３９が形成されている。垂下部３９は、略Ｓ字状に湾曲した湾曲部３９ａと、湾曲部３９ａの下端部から後方に向けて折曲して延びる係止爪３９ｂとを備える。
係止爪３９ｂの先端は、幕板１３の爪部１３ｅの先端の鉛直下方に位置するよう形成され、これによって、係止爪３９ｂの先端と幕板本体１３ｂとの間隔が、爪部１３ｅと幕板本体１３ｂとの間隔と同一寸法とされている。
【００２９】
背面フレキシブルカバー部３３は、上端部３３ａが、後に詳述する回転カバー６０の下面にほぼ突き当たるような位置に形成されている。また、背面フレキシブルカバー部３３の背面３３ｂは垂直面とされ、幕板１３の幕板本体１３ｂにほぼ連続する面内に位置するよう形成されている。
背面フレキシブルカバー部３３は、例えばＴＰＥ（Ｔｈｅｒｍｏｐｌａｓｔｉｃ−Ｅｌａｓｔｏｍｅｒ：熱可塑性エラストマー）ポリスチレン系樹脂等、ベース部３１を形成する材料よりも軟質な材料により形成されている。
【００３０】
このような背面カバー部材３０の背面フレキシブルカバー部３３により、幕板１３の上端部１３ａと回転カバー６０との隙間が閉塞されている。この背面フレキシブルカバー部３３により、その一方の側と他方の側、すなわちデスク装置１０の外方と内方とが区画されている。
ここで、背面フレキシブルカバー部３３は、ベース部３１を形成する材料よりも軟質な材料により形成されているので、背面フレキシブルカバー部３３を弾性変形させることで、背面フレキシブルカバー部３３の上端部３３ａと回転カバー６０との間に形成される隙間を通して、配線１００を、幕板１３の前後方向（幕板１３の一方の側と他方の側とを結ぶ方向）に通すことができる。
このような背面カバー部材３０は、幕板１３の上端部１３ａに沿ってデスク装置１０の幅方向に沿って連続して設けられているため、幕板１３の上端部１３ａの任意の位置において配線１００を通すことができる。
【００３１】
図３、図５に示すように、配線トレー４０は、幕板１３に沿って配置される背面板４１と、背面板４１の下端部に形成され、幕板１３の前方側において各種の配線１００を収容・保持するトレー部４２と、背面板４１の上端部に設けられ、上記のような背面カバー部材３０に係止される係止部４３と、を備えている。配線トレー４０は、幕板１３よりも幅（支持体１１，１１を結ぶ方向の長さ）を小さくしてもよく、本実施形態では、配線トレー４０を二つ連続して並べて設けている。
【００３２】
トレー部４２は、背面板４１の下端部から前方に延びる底板部４２ａと、底板部４２ａの前端部から上方に立ち上がる立ち上がり壁４２ｂと、を有した断面Ｌ字状とされている。配線１００は、トレー部４２の底板部４２ａおよび立ち上がり壁４２ｂと、背面板４１とに囲まれた空間内に収容される。
【００３３】
図４に示したように、係止部４３は、背面板４１の上端部から前方に延びる基部４３ａと、基部４３ａの前端から下方に湾曲して垂下する弾性変形片４３ｂと、弾性変形片４３ｂの下端から前方に延びる折り返し部４３ｃとからなる。
弾性変形片４３ｂには、係止爪３９ｂが係合する係合突起４３ｄが形成されている。
弾性変形片４３ｂは、背面板４１を幕板１３の幕板本体１３ｂに押しつけた状態で、係止爪３９ｂが係合突起４３ｄに係合するような位置に形成されている。
【００３４】
このような係止部４３は、幕板１３の上端部１３ａに背面カバー部材３０を装着した状態で、背面板４１を幕板本体１３ｂに沿わせながら、係止爪３９ｂと幕板本体１３ｂとの隙間に下方から挿入する。すると、係止爪３９ｂの先端と弾性変係片４３ｂが当たり、その少なくとも一方が弾性変形して退避する。そして、係止爪３９ｂが係合突起４３ｄに係合すると、係止爪３９ｂ、弾性変形片４３ｂの弾性変形が元に復帰する。この状態で、係止部４３が背面カバー部材３０と幕板本体１３ｂとによって係止され、これによって配線トレー４０が保持される。
【００３５】
なお、前述したように、係止爪３９ｂと幕板本体１３ｂとの間隔が、爪部１３ｅと幕板本体１３ｂとの間隔と同一寸法とされている。このため、背面カバー３０を装着しない場合においても、係止部４３を幕板１３の爪部１３ｅに弾性変形片４３ｂを係止させることで、配線トレー４０を、幕板１３の上端部１３ａに直接係止させて保持することができる。
【００３６】
図４、図６に示すように、回転カバー受け部材５０は、前記の背面カバー部材３０に装着される台座部５１と、回転カバー６０を回転自在に軸支する軸支部５２と、を有する。この回転カバー受け部材５０は、幕板１３や背面カバー部材３０に対し、十分に小さな幅寸法に設定されている。
【００３７】
台座部５１は、背面カバー部材３０のベース部３１の上面３１ａに対向するベース部５１ａと、ベース部５１ａの前端からベース部３１の前面３１ｂに沿って垂下する垂下壁５１ｂと、垂下壁５１ｂの下端部に後方に向けて突出形成された係止爪５１ｃとを有する。一方、背面カバー部材３０のベース部３１の前面３１ｂには、係止爪５１ｃを係止させるため、下方に突出する係止突起３１ｆが形成されている。
【００３８】
図７（ａ）に示すように、ベース部５１ａの幅方向中央部に、前後方向に沿って一対のスリット５３ａ、５３ａが形成され、これらのスリット５３ａ、５３ａ間には、前方に向けて延びるレバー５３が形成されている。図７（ｂ）に示すように、レバー５３は、後端がベース部５１ａに一体的に連結されているとともに、前端が垂下壁５１ｂよりも前方へと突出しており、後端を基端として弾性変形することで前端を上下に首振り可能に設けられている。
また、レバー５３の下面には、係止突起５３ｂが形成されている。図４に示したように、この係止突起５３ｂが、背面カバー部材３０のベース部３１の上面３１ａの前端において上方に突出形成された係止爪３１ｇに係合する。
【００３９】
このような回転カバー受け部材５０は、ベース部５１ａ、垂下壁５１ｂを背面カバー部材３０のベース部３１の上面３１ａおよび前面３１ｂに突き当てた状態で、係止爪５１ｃと係止突起３１ｆ、係止突起５３ｂと係止爪３１ｇとをそれぞれ係合することにより、台座部５１が背面カバー部材３０に装着される。
このとき、背面カバー部材３０は、幕板１３の上端部１３ａが連続する方向において同一断面形状を有しているので、回転カバー受け部材５０は、背面カバー部材３０の長さ方向の任意の位置に装着できる。
【００４０】
また、レバー５３を押し上げて、係止突起５３ｂと係止爪３１ｇとの係合を解除し、さらに係止爪５１ｃと係止突起３１ｆの係合を解除することにより、回転カバー受け部材５０を背面カバー部材３０から取り外すことができる。
【００４１】
図８に示すように、回転カバー受け部材５０は、台座部５１の後端部から上方に延びる支持壁５４と、台座部５１上に、幕板１３の上端部１３ａが連続する方向に間隔を隔てた一対のリブ５５、５５とを備える。
図４に示したように、支持壁５４には、背面カバー部材３０に装着した状態で、背面カバー部材３０の背面フレキシブルカバー部３３の上端部３３ａに突き当たる突き当たり面５４ａが形成されている。
図８に示したように、軸支部５２は、これら支持壁５４およびリブ５５、５５上に支持されて設けられている。
【００４２】
軸支部５２は、リブ５５、５５と平行な面内に位置する一対の側板５６、５６と、側板５６、５６の前端側においてこれら側板５６、５６を連結する連結板５７と、これら支持壁５４、リブ５５上に設けられたガイド面（突き当たり面）５８とを備える。
【００４３】
側板５６、５６の内側面（側板５６、５６どうしが対向する側）には、内側に向けて突出するピボット軸（ピン）５９、５９が設けられている。
【００４４】
また、連結板５７の上端部には、一対の凹部５７ａ、５７ａが形成されている。
【００４５】
図７に示したように、ガイド面５８は、後端から前方に向けて一定長の範囲が、第一の平面５８ａとされている。そして、第一の平面５８ａの前端側に連続して、前方に行くにしたがい高くなる傾斜面５８ｂが形成され、傾斜面５８ｂの前端側（デスク装置１０の内側）には、第一の平面５８ａよりも高いレベルに形成された第二の平面５８ｃが形成されている。
【００４６】
図４、図９に示すように、回転カバー６０は、カバー本体６１と、前記の回転カバー受け部材５０に対し、回動自在に連結されるホルダー部材６２と、を備える。
【００４７】
図４に示したように、カバー本体６１は、天板１２の後端部１２ａの後方の空間Ｓを開閉自在に塞ぐもので、空間Ｓを閉塞した状態で上方に面し、天板１２の天面に連続した面を形成するカバー天面６１ａと、この状態で後方に面するカバー後面６１ｂと、を備える。カバー後面６１ｂは、デスク装置１０のなるべく後端に位置するよう形成するのが好ましい。
図９に示すように、カバー本体６１のカバー天面６１ａの前端には、下方（空間Ｓを閉塞した状態における下方）に延びる前壁６１ｃと、前壁６１ｃの下端から後方に延びる折り返し爪６１ｄ部と、が形成されている。
カバー後面６１ｂの下端には、前方に向けて延びる底壁６１ｅと、底壁６１ｅの前端から上方に延びる折り返し爪６１ｆと、が形成されている。
図１０に示すように、カバー本体６１には、その両端部に、カバー天面６１ａ、カバー後面６１ｂ、前壁６１ｃ、折り返し爪６１ｄ、底壁６１ｅ、折り返し爪６１ｆによって囲まれた部分を閉塞するエンドキャップ６８が嵌め込まれている。
なお、カバー本体６１の形状は上記に限るものではなく、他の適宜形状としても良い。
【００４８】
図４、図９に示すように、カバー本体６１は、その前端部に、上部フレキシブルカバー６３を備える。
上部フレキシブルカバー６３は、カバー本体６１の前壁６１ｃおよび折り返し爪６１ｄに係合して保持されている。このため、上部フレキシブルカバー６３は、折り返し爪６１ｄを上下から挟み込む断面Ｕ字状のクランプ部６３ａと、折り返し爪６１ｄの上面側においてクランプ部６３ａの端部から上方に立ち上がるサポート壁６３ｂと、折り返し爪６１ｄの下面側において、クランプ部６３ａの端部から前方に突出するカバー部６３ｃと、を有する。
サポート壁６３ｂは、前壁６１ｃの裏面側に沿うとともに、折り返し爪６１ｄの上面とカバー天面６１ａの下面との間にはまりこむようになっている。クランプ部６３ａおよびサポート壁６３ｂにより、上部フレキシブルカバー６３がカバー本体６１の前端部に係合され、カバー部６３ｃの姿勢・形状が維持される。
なお、上部フレキシブルカバー６３のカバー本体６１の係合構造は上記したものに限るものではなく、適宜他の構成を採用することが可能である。
【００４９】
上部フレキシブルカバー６３は、クランプ部６３ａおよびサポート壁６３ｂが、例えばＡＢＳ等の硬質樹脂により形成され、カバー部６３ｃが、クランプ部６３ａおよびサポート壁６３ｂよりも軟質な材料、例えば背面フレキシブルカバー部３３と同材料のＴＰＥポリスチレン系樹脂等で形成することができる。このような上部フレキシブルカバー６３は、硬質樹脂と軟質樹脂を用いて２色成形することで形成できる。
【００５０】
図４、図９に示すように、ホルダー部材６２は、カバー本体６１の下側に装着される。ホルダー部材６２は、カバー本体６１に装着された状態でカバー天面６１ａの下面に突き当たる天板部６５と、天板部６５の後端から下方に垂下する後壁部６６と、を有する。
天板部６５の前端部６５ａの下面には、下方に延びる前壁６７が形成されている。天板部６５の前端部６５ａは、前壁６７よりも前方に突出して形成されている。
図９に示すように、後壁部６６には、幅方向に間隔を隔てて、それぞれ後方に突出するガイドリブ（リブ）６９、６９が形成されている。このガイドリブ６９、６９は、下方から上方に向けて、後壁部６６から後方への突出寸法が漸次大きくなる形状とされている。
後壁部６６において、ガイドリブ６９、６９の間には、一対のスリット（切り欠き）７０、７０が形成され、これらスリット７０、７０間がレバー７１とされている。
レバー７１の後面側には、後方に突出する係合爪７２が形成されている。
【００５１】
一方、図１１に示すように、カバー本体６１の折り返し部６１ｆには、ガイドリブ６９、６９のピッチに応じた切り欠き７３、７３が形成されている。これら切り欠き７３、７３にガイドリブ６９、６９をかみ合わせることにより、デスク装置１０の幅方向におけるホルダー部材６２の位置を規定できる。
【００５２】
図４に示したように、このようなホルダー部材６２は、天板部６５の前端部６５ａを、カバー本体６１のカバー天面６１ａの下面と上部フレキシブルカバー６３のクランプ部６３ａとの間に挿入した状態で、ガイドリブ６９、６９を切り欠き７３、７３にかみ合わせた状態でレバー７１側を押し上げていき、レバー７１に形成された係合爪７２をカバー本体６１の折り返し部６１ｆに係合させる。これによって、ホルダー部材６２がカバー本体６１の前端側と後端側とにそれぞれ嵌め込まれ、さらに、カバー本体６１の前端部に設けられた上部フレキシブルカバー６３を、カバー本体６１の折り返し爪６１ｄとホルダー部材６２の前端部とで挟み込んで固定している。
なお、ホルダー部材６２の前端部と後端部のカバー本体６１に対する嵌め合い構造は、ここで示したものに限る意図はなく、適宜他の嵌め合い構造とすることができる。
【００５３】
さて、図４、図８に示すように、ホルダー部材６２の両側には、側壁６４、６４が形成されている。そして、側壁６４、６４の外側面には、ピボット軸５９が入り込むガイド溝７５、７５が形成されている。
これにより、ホルダー部材６２が、ピボット軸５９周りに回動動作する。すなわちこれにより、回転カバー６０が開閉し、空間Ｓにおいて天板１２の後端部１２ａと幕板１３の上方位置との間に形成された開口部２００を開放したり閉塞したりできる。
【００５４】
そして、図１２に示すように、回転カバー６０を開いた状態で、空間Ｓの下方に位置する配線トレー４０に配線１００を収納する等の作業を、回転カバー６０と天板１２との隙間の開口部２００から手を入れて行うことができる。
また、図１に示したように、回転カバー６０を閉じた状態では、天板１２の後端部１２ａと、幕板１３の上方位置との間の開口部２００を回転カバー６０により塞ぐことができる。図４に示したように、この状態で、カバー本体６１と天板１２の後端部１２ａとの間は、上部フレキシブルカバー６３により、その一方の側と他方の側、つまり天板１２の上方と下方とが区画されている。この状態においても、上部フレキシブルカバー６３が柔軟性の高い材料で形成されているため、上部フレキシブルカバー６３を弾性変形させることで、上部フレキシブルカバー６３によって区画された一方の側と他方の側、つまり天板１２の上下で配線１００を通すことができる。またこの状態で、側壁６４、６４は、回転カバー受け部材５０の凹部５７ａ、５７ａに入り込んでいる。
【００５５】
図１３に示すように、カバー本体６１は、ピボット軸５９がガイド溝７５に入り込むことで、ガイド溝７５が、カバー本体６１を開閉動作させたときの、カバー本体６１の開閉動作軌跡を規制する。このガイド溝７５は、カバー本体６１を開閉動作させたときに、カバー後面６１ｂの上端側の角部Ｃ１が、デスク装置１０の後端位置から鉛直上方に立ち上がる仮想面Ｚに常に接触し、カバー後面６１ｂの下端側の角部Ｃ２が、回転カバー受け部材５０のガイド面５８に突き当たりながら回動するよう形成されている。
【００５６】
このようなカバー本体６１の開閉動作中においては、ピボット軸５９の後方側の外周面とカバー後面６１ｂの上端側の角部Ｃ１との水平方向の間隔が、ピボット軸５９の後方側の外周面と閉状態におけるカバー本体６１のカバー後面６１ｂの位置との水平方向の間隔を上回ることがないものとなっている。これにより、カバー後面６１ｂの上端側の角部Ｃ１が、デスク装置１０の後端位置から鉛直上方に立ち上がる仮想面Ｚに常に接触しながらカバー本体６１を開閉動作させるようにしたが、これに限らず、カバー本体６１を開閉動作させたときに、カバー後面６１ｂの上端側の角部Ｃ１が、デスク装置１０の後端位置から鉛直上方に立ち上がる仮想面Ｚに接触しているか、または仮想面Ｚよりも前方側に位置するようにしてもよい。つまり、カバー本体６１の開閉動作中、カバー後面６１ｂの上端側の角部Ｃ１が、デスク装置１０の後端位置から鉛直上方に立ち上がる仮想面Ｚよりも後方に突出しないようにするのである。しかし、カバー本体６１を開閉動作させたときに、カバー後面６１ｂの上端側の角部Ｃ１が、仮想面Ｚよりも前方側に位置するようにすると、開口部２００の開口面積が狭められることになる。したがって、カバー本体６１の開閉動作中において、ピボット軸５９の後方側の外周面とカバー後面６１ｂの上端側の角部Ｃ１との水平方向の間隔が、ピボット軸５９の後方側の外周面と閉状態におけるカバー本体６１のカバー後面６１ｂの位置との水平方向の間隔に常に等しくなるように構成するのが好ましい。
一方、カバー本体６１にガイド溝７５を形成せず、カバー本体６１とピボット軸５９との位置関係を固定した構成とした場合には、カバー本体６１はピボット軸５９周りに回転する。すると、カバー後面６１ｂの上端側の角部Ｃ１は、ピボット軸５９の中心との距離を半径とした円弧に沿った軌跡で旋回し、その回転の途中で、デスク装置１０の後端位置から鉛直上方に立ち上がる仮想面Ｚよりも後方に突出してしまう。
すなわち、上記の本実施形態におけるガイド溝７５により実現されるカバー本体６１の回転動作は、ピボット軸５９を中心とした回転動作と、ガイド溝７５の形状に応じた前後方向へのスライド動作とが合成されたものとなっている。
【００５７】
ここで、ガイド面５８は、いかなる形状としてもよく、図１３においては、カバー後面６１ｂの上端側の角部Ｃ１が、仮想面Ｚに常に接触しながら回動するというカバー本体６１の開閉動作の理解を容易にするため、本実施形態におけるカバー本体６１の開閉動作を単純化しており、ガイド面５８を、例えば、仮想面Ｚに直交する平面状とした場合について模式的に示している。すなわち、カバー後面６１ｂの下端側の角部Ｃ２が、仮想面Ｚに直交する仮想面Ｘに常に接触しながら回動させる場合について示している。
【００５８】
一方、本実施形態におけるガイド面５８は、図７に示したように、後端から前方に向けての一定長の範囲が、第一の平面５８ａとされているため、第一平面５８ａの範囲においては、カバー後面６１ｂの下端側の角部Ｃ２が第一の平面５８ａに突き当たりながら回動する。
そして、図１４に示すようにカバー後面６１ｂの下端側の角部Ｃ２が傾斜面５８ｂに突き当たると、カバー後面６１ｂの下端側の角部Ｃ２は、仮想面Ｘよりも上方に持ち上げられることになる。これにより、カバー本体６１は、重心が後方に移動する。すると、カバー本体６１は、カバー後面６１ｂの下端側の角部Ｃ２が傾斜面５８ｂに突き当たっている状態では、開き角が大きくなり、カバー本体６１が閉じにくくなる。
図１５に示すように、カバー本体６１の開き角がさらに大きい状態では、カバー後面６１ｂの下端側の角部Ｃ２が、第一の平面５８ａよりも高いレベルに形成された第二の平面５８ｃに突き当たる。この状態では、カバー後面６１ｂが第二の平面５８ｃに対向した状態となり、カバー本体６１が、完全に起立して開口部２００を開放した状態となる。この状態では、カバー後面６１ｂが第二の平面５８ｃに対向しているので、カバー本体６１を開放状態に容易に維持できる。
【００５９】
図１３、図１４、図１５に示すように、このようなガイド溝７５と、ピボット軸５９とにより、回転カバー６０は、回転動作のいかなる角度においても、幕板１３の鉛直上方の面よりも後方に飛び出ることがない。したがって、デスク装置１０を、他のデスク装置１０やパーティション３００等に突き当てて設置した場合においても、回転カバー６０の回転に支障が出ることはない。その結果、デスク装置１０を、他のデスク装置１０やパーティション３００等に押しつけて設置することが可能となる。
【００６０】
図９に示したように、ガイド溝７５は、上記したような所望の開閉動作をカバー本体６１が行うよう、カバー本体６１を閉状態と開状態との間で回動させたときの、ピボット軸５９の後方側の外周面とカバー後面６１ｂの上端側の角部Ｃ１との距離、ピボット軸５９の下方側の外周面とカバー後面６１ｂの下端側の角部Ｃ２との距離に応じて決定される。このとき、ガイド溝７５は、直線状でなく、屈曲したり湾曲したりする形状とするのが好ましい。屈曲させる場合、カバー本体６１の開閉動作がスムーズとなるよう、鋭角な屈曲を有さないものとするのが好ましく、さらに、屈曲部７５ｃはピボット軸５９との接触面を滑らかに丸めるのが好ましい。また、ピボット軸５９に沿ったガイド溝７５の相対移動を滑らかに行うため、ガイド溝７５の幅を、ピボット軸５９の外径に対し、一定寸法大きくし、ガイド溝７５とピボット軸５９との間に一定以上のクリアランスを確保するのが好ましい。
また、ガイド溝７５の両方の端部７５ａ、７５ｂは、カバー本体６１の回転角度を規制する。すなわち、ピボット軸５９がガイド溝７５の一方の端部７５ａに突き当たった状態で、カバー本体６１は閉状態となり、他方の端部７５ｂに突き当たった状態で、カバー本体６１は開状態となる。
なお、本実施の形態において、ガイド溝７５は、略く字状をなしているが、これに限るものではない。ピボット軸５９の後方側の外周面とカバー後面６１ｂの上端側の角部Ｃ１との水平方向の間隔が、ピボット軸５９の後方側の外周面と閉状態におけるカバー本体６１のカバー後面６１ｂの位置との水平方向の間隔を上回ることがないようカバー本体６１を開閉動作させる場合であっても、ピボット軸５９とカバー本体６１の角部Ｃ１、Ｃ２との位置関係によりガイド溝７５の溝形状は異なる。
【００６１】
また、図１６に示すように、ガイド溝７５は、カバー本体６１を閉状態、あるいは所定角度だけ引き起こした状態で、カバー本体６１およびホルダー部材６２を上方に引き上げたときに、ガイド溝７５、７５とピボット軸５９、５９との係合を解除できるよう、開放部７５ｄが形成されている。すなわち、開放部７５ｄは、カバー本体６１を予め定めた角度だけ引き起こした状態のときに、ガイド溝７５から鉛直下方に延びる接線状に形成されている。
【００６２】
このようなデスク装置１０においては、ガイド溝７５がピボット軸５９に突き当たることでカバー本体６１の開閉動作が規制され、カバー本体６１を開閉動作させたときに、カバー後面６１ｂの上端側の角部Ｃ１が、デスク装置１０の後端位置から鉛直上方に立ち上がる仮想面Ｚに接触しているか、または仮想面Ｚよりも前方側に位置するようにガイド溝７５を形成した。つまり、回転カバー６０は、開閉動作中のいかなる角度においても、幕板１３の鉛直上方の面よりも後方に飛び出ることがない。したがって、デスク装置１０を、他のデスク装置１０やパーティション３００等に突き当てて設置した場合においても、回転カバー６０の回転に支障が出ることはない。その結果、デスク装置１０を、他のデスク装置１０やパーティション３００等に押しつけて設置することが可能となる。
【００６３】
回転カバー６０が開状態にあるときには、回転カバー６０のカバー天面６１ａがデスク装置１０の後端位置に位置するため、回転カバー６０と天板１２の後端部１２ａとの間に形成される、空間Ｓと連通する開口部２００を最大限に広く確保することができる。したがって、この開口部２００から空間Ｓ内に配線を通す際の作業性が向上する。
また、回転カバー６０の各部が回転動作中に外周側に張り出すことがないため、回転カバー６０と、その周囲に位置する部材（天板１２の後端部１２ａ）とのクリアランスを最小限に抑えることができる。これにより、デスク装置１０の上面の作業面の有効面積が狭められること、デスク装置１０の上面に段差等が生じることを抑えることができ、その結果、什器の使い勝手が向上する。
また、このような構造は、複雑なリンク機構などを用いることもなく、非常に簡易な構造で、製造の手間を抑えるとともに、コストを抑えることが可能となる。
【００６４】
なお、上記実施の形態において、デスク装置１０の各部について詳細に説明したが、各部材の係止構造等については、他のいかなる構造を用いても良い。
また、上記実施形態では、ピボット軸５９を回転カバー受け部材５０側に設け、ガイド溝７５を回転カバー６０のホルダー部材６２に設けるようにしたが、ピボット軸５９を回転カバー６０のホルダー部材６２側に設け、ガイド溝７５を回転カバー受け部材５０に設けるようにしても良い。
また、背面カバー部材３０を備える構成としているが、もちろん、背面カバー部材３０の構造を適宜他の構造とすることもできるし、さらには本発明において背面カバー部材３０は必須の構成ではない。
さらに、デスク装置１０に限らず、他の様々な什器に本発明は適用可能である。例えば、収納キャビネット等においても、キャビネット内に収容した配線１００を外部に取り出す部分において、本発明を適用することで上記と同様の効果を奏することができる。
これ以外にも、本発明の主旨を逸脱しない限り、上記実施の形態で挙げた構成を取捨選択したり、他の構成に適宜変更することが可能である。
【符号の説明】
【００６５】
１０  デスク装置（什器）
１１  支持体
１２  天板
１２ａ  後端部
１２ｂ  下面
１３  幕板
１３ａ  上端部
２０  配線収容部
３０  背面カバー部材
４０  配線トレー
５０  回転カバー受け部材
５８  ガイド面（突き当たり面）
５８ａ  第一の平面
５８ｂ  傾斜面
５８ｃ  第二の平面
５９  ピボット軸（ピン）
６０  回転カバー（カバー）
６１  カバー本体
６２  ホルダー部材
７５  ガイド溝
Ｃ１  角部（第一の角部）
Ｃ２  角部（第二の角部）
【図１】
0005624749.tif 000002
【図２】
0005624749.tif 000003
【図３】
0005624749.tif 000004
【図４】
0005624749.tif 000005
【図５】
0005624749.tif 000006
【図６】
0005624749.tif 000007
【図７】
0005624749.tif 000008
【図８】
0005624749.tif 000009
【図９】
0005624749.tif 000010
【図１０】
0005624749.tif 000011
【図１１】
0005624749.tif 000012
【図１２】
0005624749.tif 000013
【図１３】
0005624749.tif 000014
【図１４】
0005624749.tif 000015
【図１５】
0005624749.tif 000016
【図１６】
0005624749.tif 000017